【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
第１画像データを取得する取得手段と、
前記第１画像データの色を所定色域に含まれる色に変換して、第２画像データを生成する変換手段と、
前記第２画像データに基づいて画像を表示する表示手段と、
を有し、
前記変換手段は、
目標輝度に変換後の色の輝度が近づくように色を変換する第１変換処理と、輝度が変化しないように色を変換する第２変換処理と、の少なくとも一方の変換処理で、前記第１画像データの色を変換するものであり、
輝度が第１輝度範囲に含まれる前記第１画像データの領域の色を、前記第１変換処理で変換し、輝度が前記第１輝度範囲と異なる第２輝度範囲に含まれる前記第１画像データの領域の色を、前記第２変換処理で変換する
ことを特徴とする表示装置。
【請求項２】
前記目標輝度は、前記変換手段が変換する前記第１画像データの領域の色が含まれる色相において、前記所定色域の彩度が最大となる輝度である特定輝度である
ことを特徴とする請求項１に記載の表示装置。
【請求項３】
前記第１輝度範囲は、所定の輝度よりも高い輝度からなる範囲であり、前記第２輝度範囲は、前記所定の輝度以下の輝度からなる範囲である
ことを特徴とする請求項１または２に記載の表示装置。
【請求項４】
前記所定の輝度は、前記目標輝度である
ことを特徴とする請求項３に記載の表示装置。
【請求項５】
前記所定の輝度は、前記変換手段が変換する前記第１画像データの領域の色が含まれる色相において、前記所定色域の彩度が最大となる特定輝度である
ことを特徴とする請求項３に記載の表示装置。
【請求項６】
前記変換手段は、前記第１画像データの領域の色が含まれる色相と、前記第１画像デー
タの領域の色を変換した前記第２画像データの領域の色が含まれる色相とが同一であるように、前記第１画像データの領域の色を変換する
ことを特徴とする請求項１〜５のいずれか１項に記載の表示装置。
【請求項７】
前記変換手段は、前記第１変換処理において、前記第１画像データの領域の色と前記第１画像データの領域の色を変換した前記第２画像データの領域の色との間において輝度の変化に対して彩度が線形に変化するように前記第１画像データの領域の色を変換する
ことを特徴とする請求項１〜６のいずれか１項に記載の表示装置。
【請求項８】
前記変換手段は、
前記特定輝度が第１閾値よりも大きく、かつ、前記変換手段が変換する前記第１画像データの領域の色の輝度が前記特定輝度よりも大きい場合に、前記第１画像データの領域の色を前記第１変換処理で変換し、
前記特定輝度が前記第１閾値よりも大きく、かつ、前記変換手段が変換する前記第１画像データの領域の色の輝度が前記特定輝度以下である場合に、前記第１画像データの領域の色を前記第２変換処理で変換する
ことを特徴とする請求項５に記載の表示装置。
【請求項９】
前記変換手段は、
第２閾値よりも前記特定輝度が小さく、かつ、前記変換手段が変換する前記第１画像データの領域の色の輝度が前記特定輝度よりも大きい場合に、前記第１画像データの領域の色を前記第２変換処理で変換し、
前記特定輝度が前記第２閾値よりも小さく、かつ、前記変換手段が変換する前記第１画像データの領域の色の輝度が前記特定輝度以下である場合に、前記第１画像データの領域の色を前記第１変換処理で変換する
ことを特徴とする請求項５または８に記載の表示装置。
【請求項１０】
前記変換手段は、前記特定輝度が、第１閾値以下であり、かつ、前記第１閾値より小さい第２閾値以上である場合に、前記第１画像データの領域の色を、前記第１変換処理による変換後の色と、前記第２変換処理による変換後の色とを用いて変換する
ことを特徴とする請求項５、８、及び、９のいずれか１項に記載の表示装置。
【請求項１１】
前記特定輝度が前記第１閾値以下かつ前記第２閾値以上である場合に、前記変換手段は、輝度が前記特定輝度よりも大きい前記第１画像データの領域の色を、前記特定輝度が前記第２閾値に近いほど前記第２変換処理による変換後の色に近く、かつ、前記特定輝度が前記第２閾値から遠いほど前記第１変換処理による変換後の色に近い色に変換し、輝度が前記特定輝度以下である前記第１画像データの領域の色を、前記特定輝度が前記第２閾値に近いほど前記第１変換処理による変換後の色に近く、かつ、前記特定輝度が前記第２閾値から遠いほど前記第２変換処理による変換後の色に近い色に変換する
ことを特徴とする請求項１０に記載の表示装置。
【請求項１２】
前記変換手段は、前記第２閾値より大きい第３閾値よりも輝度が大きい前記第１画像データの領域の色を、前記第１変換処理で変換する
ことを特徴とする請求項９〜１１のいずれか１項に記載の表示装置。
【請求項１３】
前記変換手段は、前記第２閾値より小さい第４閾値よりも輝度が小さい前記第１画像データの領域の色を、前記第２変換処理で変換する
ことを特徴とする請求項９〜１２のいずれか１項に記載の表示装置。
【請求項１４】
前記第１画像データに基づく画像を前記表示手段の画面に表示した場合における前記画
面の輝度を、前記第１画像データと、前記表示手段の表示特性とに基づいて推定する推定手段、をさらに有し
前記変換手段は、推定された輝度が第１輝度よりも高い前記第１画像データの領域の色を、前記第１変換処理で変換する
ことを特徴とする請求項９に記載の表示装置。
【請求項１５】
前記第１画像データに基づく画像を前記表示手段の画面に表示した場合における前記画面の輝度を、前記第１画像データと、前記表示手段の表示特性とに基づいて推定する推定手段、をさらに有し
前記変換手段は、推定された輝度が第２輝度よりも低い前記第１画像データの領域の色を、前記第２変換処理で変換する
ことを特徴とする請求項９または１４に記載の表示装置。
【請求項１６】
前記表示手段は、発光部から発せられた光を変調することで前記画面に画像を表示し、
前記推定手段は、前記発光部の発光輝度を用いて、前記画面の輝度を推定する
ことを特徴とする請求項１４または１５に記載の表示装置。
【請求項１７】
前記発光部は、前記画面の領域を構成する複数の分割領域にそれぞれ対応する複数の発光領域を有し、
前記推定手段は、前記複数の分割領域の間における前記発光領域から発せられた光の漏れをさらに考慮して、前記画面の輝度を推定する
ことを特徴とする請求項１６に記載の表示装置。
【請求項１８】
前記所定の輝度は、ユーザが設定した輝度である
ことを特徴とする請求項３に記載の表示装置。
【請求項１９】
第１画像データを取得する取得ステップと、
前記第１画像データの色を所定色域に含まれる色に変換して、第２画像データを生成する変換ステップと、
前記第２画像データに基づいて画像を表示する表示ステップと、
を有し
前記変換ステップは、目標輝度に変換後の色の輝度が近づくように色を変換する第１変換処理と、輝度が変化しないように色を変換する第２変換処理と、の少なくとも一方の変換処理で、前記第１画像データの色を変換するものであり、
前記変換ステップでは、輝度が第１輝度範囲に含まれる前記第１画像データの領域の色が、前記第１変換処理で変換され、輝度が前記第１輝度範囲と異なる第２輝度範囲に含まれる前記第１画像データの領域の色が、前記第２変換処理で変換される
ことを特徴とする表示装置の制御方法。
【請求項２０】
第１画像データを取得する取得手段と、
前記第１画像データの領域の色を所定色域に含まれる色に変換して、第２画像データを生成する変換手段と、
を有し、
前記変換手段は、
目標輝度に変換後の色の輝度が近づくように色を変換する第１変換処理と、輝度が変化しないように色を変換する第２変換処理と、の少なくとも一方の変換処理で、前記第１画像データの色を変換するものであり、
輝度が第１輝度範囲に含まれる前記第１画像データの領域の色を、前記第１変換処理で変換し、輝度が前記第１輝度範囲と異なる第２輝度範囲に含まれる前記第１画像データの領域の色を、前記第２変換処理で変換する
ことを特徴とする画像処理装置。
【請求項２１】
コンピュータを請求項１〜１８のいずれか１項に記載の表示装置の各手段として機能させるためのプログラム。
【請求項２２】
コンピュータを請求項１〜１８のいずれか１項に記載の表示装置の各手段として機能させるためのプログラムを格納したコンピュータが読み取り可能な記録媒体。
【手続補正２】
【補正対象書類名】明細書
【補正対象項目名】発明の名称
【補正方法】変更
【補正の内容】
【発明の名称】表示装置、表示装置の制御方法、画像処理装置、プログラム、及び、記録媒体
【手続補正３】
【補正対象書類名】明細書
【補正対象項目名】０００１
【補正方法】変更
【補正の内容】
【０００１】
本発明は、表示装置、表示装置の制御方法、画像処理装置、プログラム、及び、記録媒体に関する。
【手続補正４】
【補正対象書類名】明細書
【補正対象項目名】０００８
【補正方法】変更
【補正の内容】
【０００８】
本発明の第１の態様は、
第１画像データを取得する取得手段と、
前記第１画像データの色を所定色域に含まれる色に変換して、第２画像データを生成する変換手段と、
前記第２画像データに基づいて画像を表示する表示手段と、
を有し、
前記変換手段は、
目標輝度に変換後の色の輝度が近づくように色を変換する第１変換処理と、輝度が変化しないように色を変換する第２変換処理と、の少なくとも一方の変換処理で、前記第１画像データの色を変換するものであり、
輝度が第１輝度範囲に含まれる前記第１画像データの領域の色を、前記第１変換処理で変換し、輝度が前記第１輝度範囲と異なる第２輝度範囲に含まれる前記第１画像データの領域の色を、前記第２変換処理で変換する
ことを特徴とする表示装置である。
本発明の第２の態様は、
第１画像データを取得する取得手段と、
前記第１画像データの領域の色を所定色域に含まれる色に変換して、第２画像データを生成する変換手段と、
を有し、
前記変換手段は、
目標輝度に変換後の色の輝度が近づくように色を変換する第１変換処理と、輝度が変化しないように色を変換する第２変換処理と、の少なくとも一方の変換処理で、前記第１
画像データの色を変換するものであり、
輝度が第１輝度範囲に含まれる前記第１画像データの領域の色を、前記第１変換処理で変換し、輝度が前記第１輝度範囲と異なる第２輝度範囲に含まれる前記第１画像データの領域の色を、前記第２変換処理で変換する
ことを特徴とする画像処理装置である。
【手続補正５】
【補正対象書類名】明細書
【補正対象項目名】０００９
【補正方法】変更
【補正の内容】
【０００９】
本発明の第３の態様は、
第１画像データを取得する取得ステップと、
前記第１画像データの色を所定色域に含まれる色に変換して、第２画像データを生成する変換ステップと、
前記第２画像データに基づいて画像を表示する表示ステップと、
を有し
前記変換ステップは、目標輝度に変換後の色の輝度が近づくように色を変換する第１変換処理と、輝度が変化しないように色を変換する第２変換処理と、の少なくとも一方の変換処理で、前記第１画像データの色を変換するものであり、
前記変換ステップでは、輝度が第１輝度範囲に含まれる前記第１画像データの領域の色が、前記第１変換処理で変換され、輝度が前記第１輝度範囲と異なる第２輝度範囲に含まれる前記第１画像データの領域の色が、前記第２変換処理で変換される
ことを特徴とする表示装置の制御方法である。
【手続補正６】
【補正対象書類名】明細書
【補正対象項目名】００１０
【補正方法】変更
【補正の内容】
【００１０】
本発明の第４の態様は、コンピュータを上述した表示装置の各手段として機能させるためのプログラムであり、本発明の第５の態様は、コンピュータを上述した表示装置の各手段として機能させるためのプログラムを格納したコンピュータが読み取り可能な記録媒体である。
【手続補正７】
【補正対象書類名】明細書
【補正対象項目名】００３７
【補正方法】変更
【補正の内容】
【００３７】
図２を用いて、第１の変換処理の一例を説明する。図２において、破線の三角形は、入力色域（Ｒｅｃ．２０２０規格で定められた色域；Ｌ＊ａ＊ｂ＊データ１２２の色域）を示す。本実施例では、第１の変換処理により、表示色域の外側の座標（輝度値Ｌ＊，彩度値Ｃ）に対応する画素値（Ｌ＊ａ＊ｂ＊データ１２２のＬ＊ａ＊ｂ＊色空間値）が変換される。具体的には、図２の破線で示すように、最大彩度輝度値に輝度値Ｌ＊を近づける変換が行われる。図２の例では、変換後の座標が表示色域の縁に位置するように、画素値が変換される。また、図２の例では、最大彩度輝度値への輝度値Ｌ＊の変化に対して彩度値Ｃが線形に変化するように画素値が変換される。そのため、図２の例では、変換前の座標と変換後の座標を通る直線上に、座標（輝度値Ｌ＊，彩度値Ｃ）＝（最大彩度輝度値，０）が位置する。第１の変換処理では、表示色域の内側の座標に対応する画素値は変換され
ない。
【手続補正８】
【補正対象書類名】明細書
【補正対象項目名】００３８
【補正方法】変更
【補正の内容】
【００３８】
これにより、輝度値Ｌ＊の変化と彩度値Ｃの変化（低下）を抑えつつ、色域を入力色域から表示色域に変換することができる。なお、変換後の座標が表示色域の縁に位置しなくてもよい。また、最大彩度輝度値への輝度値Ｌ＊の変化に対して彩度値Ｃが非線形に変化するように画素値が変換されてもよい。最大彩度輝度値への輝度値Ｌ＊の変化に対して彩度値Ｃが不連続に変化するように画素値が変換されてもよい。
【手続補正９】
【補正対象書類名】明細書
【補正対象項目名】００４０
【補正方法】変更
【補正の内容】
【００４０】
図２を用いて、第２の変換処理の一例を説明する。本実施例では、第２の変換処理により、表示色域の外側の座標（輝度値Ｌ＊，彩度値Ｃ）に対応する画素値（Ｌ＊ａ＊ｂ＊データ１２２のＬ＊ａ＊ｂ＊色空間値）が変換される。具体的には、図２の破線で示すように、輝度値Ｌ＊を維持する変換が行われる。図２の例では、変換後の座標が表示色域の縁に位置するように、画素値が変換される。第２の変換処理では、表示色域の内側の座標に対応する画素値は変換されない。
【手続補正１０】
【補正対象書類名】明細書
【補正対象項目名】００４１
【補正方法】変更
【補正の内容】
【００４１】
これにより、輝度値Ｌ＊を変化させずに、色域を入力色域から表示色域に変換することができる。但し、第２の変換処理では、第１の変換処理に比べて彩度値Ｃの変化が大きい。なお、変換後の座標が表示色域の縁に位置しなくてもよい。